(57)【要約】      （修正有）【課題】刃の取り付け状態を良好に保持できる回転刃を提供する。【解決手段】円盤状の回転体１と、この円盤状の回転体１の外周に開口した外周開口部１ａの対向する一方の面に形成された刃取付部に裏座２を介して取り付けられた刃３を有する回転刃Ｋであって、裏座２の端面に当接し、刃３の回転軸の軸方向の動きを阻止するストッパー５を円盤状の回転体１に取り付けたものである。【選択図】図１
0003229026.tif 000002
【実用新案登録請求の範囲】
【請求項１】
円盤状の回転体と、この円盤状の回転体の外周に開口した外周開口部の対向する一方の面に形成された刃取付部に裏座を介して取り付けられた刃を有する回転刃であって、
前記裏座の端面に当接し、前記刃の前記回転軸の軸方向の動きを阻止するストッパーを前記円盤状の回転体に取り付けた
ことを特徴とする回転刃。
【請求項２】
回転軸に取り付けられると共に、外周に開口した外周開口部を複数有した円盤状の回転体と、
この円盤状の回転体であって、前記外周開口部の対向する一方の面に形成された刃取付部と、
前記刃取付部に設けられた第１のボルト挿通孔と、
前記刃取付部に当接し、前記第１のボルト挿通孔に連通するボルト挿通孔を有する刃と、
前記刃に当接すると共に、前記ボルト挿通孔に臨むように設けられた雌ねじを有する裏座と、
前記第１のボルト挿通孔、前記ボルト挿通孔を介して前記裏座の雌ねじに螺合した雄ねじとを備え、
前記裏座の端面に当接し、前記刃の前記回転軸の軸方向の動きを阻止するストッパーを前記円盤状の回転体に取り付けた
ことを特徴とする回転刃。
【請求項３】
円盤状の回転体と、この円盤状の回転体の外周に開口した外周開口部の対向する一方の面に形成された刃取付部に裏座を介して取り付けられた刃を有する回転刃であって、
前記刃には、前記刃の長手方向に設けられた溝部を有し、
前記刃取付部に前記外周開口部に臨むように凸部が設けられ、
前記刃取付部に前記刃が当接した状態にあっては、前記溝部内に前記凸部が位置し、前記回転軸の軸方向の動きが阻止されている
ことを特徴とする回転刃。
【請求項４】
回転軸に取り付けられると共に、外周に開口した外周開口部を複数有した円盤状の回転体と、
この円盤状の回転体であって、前記外周開口部の対向する一方の面に形成された刃取付部と、
前記刃取付部に設けられた第１のボルト挿通孔と、
前記刃取付部に当接し、前記第１のボルト挿通孔に連通するボルト挿通孔を有する刃と、
前記刃に当接すると共に、前記ボルト挿通孔に臨むように設けられた雌ねじを有する裏座と、
前記第１のボルト挿通孔、前記ボルト挿通孔を介して前記裏座の雌ねじに螺合した雄ねじとを備え、
前記刃には、前記刃の長手方向に設けられた溝部を有し、
前記刃取付部に前記外周開口部に臨むように凸部が設けられ、
前記刃取付部に前記刃が当接した状態にあっては、前記溝部内に前記凸部が位置し、前記回転軸の軸方向の動きが阻止されている
ことを特徴とする回転刃。
【考案の詳細な説明】
【技術分野】
【０００１】
本考案は、回転刃に係り、特に、刃の取り付け状態を良好に保持できる回転刃に関する。
【背景技術】
【０００２】
従来、回転刃として、回転刃物装置がある(特許文献１参照)。
回転刃物装置（Ｎ）は、本体（１）に設けた溝（２）に先端に刃角（θ）を有する刃を備えた刃受け台（３）を着脱自在に取り付ると共に刃（31）の先端が本体（１）の周面より突出している回転刃物装置（Ｎ）において、溝（２）は、底面（21）と、この底面（21）より立設する第１、第２の立設面（22）、（23）で構成され、この第１の立設面（22）と第２の立設面（23）とは対向し、第１の立設面（22）は平坦面を有し、底面（21）から第１の立設面（22）に向かう底面（21）の部分は平坦面であり、この底面（21）の平坦面から第１の立設面（22）に向かって時計回りになす底面（21）の平坦面と第１の立設面（22）との角度は（１８０°−θ）とし、刃受け台（３）が第１の立設面（22）に当接する面は第１の平坦面（Ａ）に形成され、刃受け台（３）の底部から第１の平坦面（Ａ）に向かう刃受け台（３）の底部は第２の平坦面（Ｂ）であり、この第２の平坦面（Ｂ）から第１の平坦面（Ａ）に向かって時計回りになす第２の平坦面（Ｂ）と第１の平坦面（Ａ）との角度を（１８０°−θ）としているものである。
【先行技術文献】
【特許文献】
【０００３】
【特許文献１】特開２０００−１５８２１０
【考案の概要】
【考案が解決しようとする課題】
【０００４】
しかしながら、上記回転刃物装置（Ｎ）は、上記回転刃物装置（Ｎ）の回転軸の軸方向の動きを阻止するものがないため、刃が回転軸の軸方向に移動し、回転刃物装置（Ｎ）を良好に使用することができないという問題点が生じた。
【０００５】
本考案は、上記の問題点を考慮してなされた回転刃を提供することにある。
【課題を解決するための手段】
【０００６】
請求項１記載の回転刃は、円盤状の回転体と、この円盤状の回転体の外周に開口した外周開口部の対向する一方の面に形成された刃取付部に裏座を介して取り付けられた刃を有する回転刃であって、前記裏座の端面に当接し、前記刃の前記回転軸の軸方向の動きを阻止するストッパーを前記円盤状の回転体に取り付けたものである。
【０００７】
また、請求項２記載の回転刃は、回転軸に取り付けられると共に、外周に開口した外周開口部を複数有した円盤状の回転体と、この円盤状の回転体であって、前記外周開口部の対向する一方の面に形成された刃取付部と、前記刃取付部に設けられた第１のボルト挿通孔と、前記刃取付部に当接し、前記第１のボルト挿通孔に連通するボルト挿通孔を有する刃と、前記刃に当接すると共に、前記ボルト挿通孔に臨むように設けられた雌ねじを有する裏座と、前記第１のボルト挿通孔、前記ボルト挿通孔を介して前記裏座の雌ねじに螺合した雄ねじとを備え、前記裏座の端面に当接し、前記刃の前記回転軸の軸方向の動きを阻止するストッパーを前記円盤状の回転体に取り付けたものである。
【０００８】
また、請求項３記載の回転刃は、円盤状の回転体と、この円盤状の回転体の外周に開口した外周開口部の対向する一方の面に形成された刃取付部に裏座を介して取り付けられた刃を有する回転刃であって、前記刃には、前記刃の長手方向に設けられた溝部を有し、前記刃取付部に前記外周開口部に臨むように凸部が設けられ、前記刃取付部に前記刃が当接した状態にあっては、前記溝部内に前記凸部が位置し、前記回転軸の軸方向の動きが阻止されているものである。
【０００９】
また、請求項４記載の回転刃は、回転軸に取り付けられると共に、外周に開口した外周開口部を複数有した円盤状の回転体と、この円盤状の回転体であって、前記外周開口部の対向する一方の面に形成された刃取付部と、前記刃取付部に設けられた第１のボルト挿通孔と、前記刃取付部に当接し、前記第１のボルト挿通孔に連通するボルト挿通孔を有する刃と、前記刃に当接すると共に、前記ボルト挿通孔に臨むように設けられた雌ねじを有する裏座と、前記第１のボルト挿通孔、前記ボルト挿通孔を介して前記裏座の雌ねじに螺合した雄ねじとを備え、前記刃には、前記刃の長手方向に設けられた溝部を有し、前記刃取付部に前記外周開口部に臨むように凸部が設けられ、前記刃取付部に前記刃が当接した状態にあっては、前記溝部内に前記凸部が位置し、前記回転軸の軸方向の動きが阻止されているものである。
【考案の効果】
【００１０】
請求項１の回転刃によれば、裏座の端面に当接し、刃の回転軸の軸方向の動きを阻止するストッパーを円盤状の回転体に取り付けたため、裏座を介して刃の回転軸の軸方向の動きを阻止し、刃の取り付け状態を良好に保持して回転刃を使用することができる。
【００１１】
また、請求項２の回転刃によれば、裏座の端面に当接し、刃の回転軸の軸方向の動きを阻止するストッパーを円盤状の回転体に取り付けたため、裏座を介して刃の回転軸の軸方向の動きを阻止し、刃の取り付け状態を良好に保持して回転刃を使用することができる。
【００１２】
また、請求項３記載の回転刃によれば、刃取付部に刃が当接した状態にあっては、溝部内に凸部が位置し、回転軸の軸方向の動きを阻止して、刃の取り付け状態を良好に保持して回転刃を使用することができる。
【００１３】
また、請求項４記載の回転刃によれば、刃取付部に刃が当接した状態にあっては、溝部内に凸部が位置し、回転軸の軸方向の動きを阻止して、刃の取り付け状態を良好に保持して回転刃を使用することができる。
【図面の簡単な説明】
【００１４】
【図１】図１は、本考案の一実施例の回転刃の概略的正面図である。
【図２】図２は、図１の回転刃の概略的斜視図である。
【図３】図３は、図２の回転刃の一部を分解して示す概略的一部分解斜視図である。
【図４】図４は、図２の概略的断面図である。
【図５】図５は、図２の概略的断面図である。
【図６】図６は、図１の回転刃と異なる他の実施例の回転刃の概略的正面図である。
【図７】図７は、図６の回転刃の概略的一部分解斜視図である。
【考案を実施するための形態】
【００１５】
本考案の一実施例の回転刃を図１乃至図５を参照して説明する。
【００１６】
図１に示すＫは回転刃で、回転刃Ｋは、円盤状の回転体１と、この円盤状の回転体１の外周に開口した外周開口部１ａ（外周開口部１ａは、例えば、８個）の対向する一方の面に形成された刃取付部に裏座２を介して取り付けられた刃３を有する。
【００１７】
円盤状の回転体１は、回転軸（図示せず）に取り付けられると共に、外周に開口した外周開口部１ａを複数有している。１ｂは、回転軸（図示せず）が挿入される孔である。
図３に示す１Ａは、円盤状の回転体１であって、外周開口部１ａの対向する一方の面に形成された刃取付部で、この刃取付部１Ａには、第１のボルト挿通孔１Ｂが設けられている。
【００１８】
刃３は、刃取付部１Ａに当接し、第１のボルト挿通孔１Ｂに連通するボルト挿通孔３Ｂを有する。刃３は、両側に切れ刃３ａ、３ｂを有し、一方の切れ刃３ａが摩耗した場合、他方の切れ刃３ｂを使用するようにしてある。
【００１９】
裏座２は、刃３に当接すると共に、ボルト挿通孔３Ｂに臨むように設けられた雌ねじ２Ｂを有する。
また、４は、第１のボルト挿通孔１Ｂ、ボルト挿通孔３Ｂを介して裏座２の雌ねじ２Ｂに螺合した雄ねじである。
また、ストッパー５は、裏座２の端面に当接し、刃３の回転軸（図示せず）の軸方向の動きを阻止するものである。
その結果、裏座２の端面に当接し、刃３の回転軸（図示せず）の軸方向の動きを阻止するストッパー５を円盤状の回転体１に取り付けたため、裏座２を介して刃３の回転軸（図示せず）の軸方向の動きを阻止し、刃３の取り付け状態を良好に保持して回転刃Ｋを使用することができる。
なお、５Ｂは、ストッパー５を円盤状の回転体１に取り付けるためのボルトである。
【００２０】
次に、図６及び図やを参照して、上述した図１乃至図５記載の回転刃Ｋ  と異なる回転刃Ｋを説明する。
【００２１】
図６に示すＫは回転刃で、回転刃Ｋは、円盤状の回転体１と、この円盤状の回転体１の外周に開口した外周開口部１ａ（外周開口部１ａは、例えば、８個）の対向する一方の面に裏座２を介して取り付けられた刃３を有する。
【００２２】
円盤状の回転体１は、回転軸（図示せず）に取り付けられると共に、外周に開口した外周開口部１ａを複数有している。１ｂは、回転軸（図示せず）が挿入される孔である。
図７に示す１Ａは、円盤状の回転体１であって、外周開口部１ａの対向する一方の面に形成された刃取付部で、この刃取付部１Ａには、第１のボルト挿通孔１Ｂが設けられている。また、刃取付部１Ａに外周開口部１ａに臨むように凸部１Ｔが設けられている。
なお、刃取付部１Ａは、円盤状の回転体１に凸部１Ｔを設けた部材１’がボルト６を介して取り付けられているが、部材１’ではなく、刃取付部１Ａを円盤状の回転体１に直接設けるようにしても良い。
【００２３】
刃３は、刃取付部１Ａに当接し、第１のボルト挿通孔１Ｂに連通するボルト挿通孔３Ｂを有する。刃３は、両側に切れ刃３ａ、３ｂを有し、一方の切れ刃３ａが摩耗した場合、他方の切れ刃３ｂを使用するようにしてある。また、刃３には、刃３の長手方向に設けられた溝部３Ｍを有している。
【００２４】
裏座２は、刃３に当接すると共に、ボルト挿通孔３Ｂに臨むように設けられた雌ねじ２Ｂを有する。
また、４は、第１のボルト挿通孔１Ｂ、ボルト挿通孔３Ｂを介して裏座２の雌ねじ２Ｂに螺合した雄ねじである。
そして、刃取付部１Ａに刃３が当接した状態にあっては、溝部３Ｍ内に凸部１Ｔが位置し、回転軸（図示せず）の軸方向の動きが阻止されている。
その結果、溝部３Ｍ内に凸部１Ｔが位置し、回転軸（図示せず）の軸方向の動きを阻止して、刃３の取り付け状態を良好に保持して回転刃Ｋを使用することができる。
【符号の説明】
【００２５】
Ｋ      回転刃
１      円盤状の回転体
１Ａ    刃取付部
１ａ    外周開口部
２      裏座
３       刃
５      ストッパー
【図１】
0003229026.tif 000003
【図２】
0003229026.tif 000004
【図３】
0003229026.tif 000005
【図４】
0003229026.tif 000006
【図５】
0003229026.tif 000007
【図６】
0003229026.tif 000008
【図７】
0003229026.tif 000009